(57)【要約】【課題】ネットワーク管理において、ネットワークを構成する装置の論理的構成と位置的構成とを統合的に管理可能とすること。【解決手段】ネットワーク管理システム１においては、管理対象装置が、自装置の設置個所に関する地理情報を取得可能であり、ネットワーク管理部は、地理情報およびアドレス情報に基づいて、ネットワークの論理的構成と位置的構成とを管理可能である。したがって、ネットワーク管理をより適切に行うことが可能となり、また、ネットワーク構成（管理対象装置の設置状態）が変化した場合に、新たなネットワーク構成を容易かつ低コストに把握できる。また、ネットワークにおいて発生する障害（例えば、停電によって一部の装置が通信不可能な状態となること等）を容易かつ正確に予想でき、それに対する適確な措置を講ずることが可能となる。【選択図】　　　　図５
2004112279.tif 000002
【特許請求の範囲】
【請求項１】
ネットワークの論理的構成に関するアドレス情報が割り当てられた管理対象装置と、該管理対象装置を含むネットワークのネットワーク管理を行う管理手段とを含むネットワーク管理システムであって、
前記管理対象装置は、自装置の設置位置に関する地理情報を取得可能であり、前記管理手段は、前記管理対象装置の地理情報およびアドレス情報に基づいて、ネットワークの位置的構成を論理的構成と対応付けて管理可能であることを特徴とするネットワーク管理システム。
【請求項２】
前記管理手段は、ネットワークの論理的構成あるいは位置的構成の少なくともいずれかの構成が変化した場合に、前記アドレス情報および地理情報に基づいて、ネットワークの新たな構成を把握可能であることを特徴とする請求項１記載のネットワーク管理システム。
【請求項３】
前記管理手段は、ネットワークにおいて障害が予想される場合に、前記アドレス情報および地理情報に基づいて、その障害による影響が及ぼされ得る管理対象装置を特定し、該管理対象装置に警告情報を送信することを特徴とする請求項１または２記載のネットワーク管理システム。
【請求項４】
前記管理手段は、前記管理対象装置が設置される所定領域の地図情報を記憶し、前記管理対象装置によって取得された地理情報を該地図情報に基づいて補正可能であることを特徴とする請求項１〜３のいずれかに記載のネットワーク管理システム。
【請求項５】
前記管理手段は、前記管理対象装置によって取得された地理情報が、前記地図情報に基づく地図上において、所定の建物外の位置を示している場合、示している位置に最も近接する所定の建物の位置に、該地理情報を補正することを特徴とする請求項４記載のネットワーク管理システム。
【請求項６】
前記管理対象装置は、ＧＰＳを利用して前記位置情報を取得することを特徴とする請求項１〜５のいずれかに記載のネットワーク管理システム。
【発明の詳細な説明】
【０００１】
【発明の属する技術分野】
本発明は、ネットワークを管理するためのネットワーク管理システムに関する。
【０００２】
【従来の技術】
従来、ネットワークにおける構成管理、電源管理あるいは障害管理等の各種管理を行うネットワーク管理システムが知られている。
ネットワーク管理システムは、ネットワークを構成する装置（以下、「管理対象装置」と言う。）の増減あるいは変更等を管理し、この際、各管理対象装置のネットワーク上における論理アドレス（ネットワークアドレス）に基づいて管理を行っている。
【０００３】
このように、ネットワークアドレスを用いることにより、ネットワークにおける各管理対象装置間の論理的構成を管理可能である。
一方、ネットワークを構成する各管理対象装置の位置的構成を管理する必要が生ずる場合もある。例えば、複数の管理対象装置が、建物の異なるフロアに亘って設置されている場合に、特定のフロアにおいて電源が遮断される事態が想定され、このような場合、電源の供給が停止される管理対象装置について把握する必要がある。
【０００４】
なお、管理対象装置の位置的構成とは、各管理対象装置が設置されている位置的な関係（地理的位置関係）を言う。
このような管理対象装置の位置的構成を表すものとして、従来、管理マップが使用されている。管理マップには、ネットワークを構成する管理対象装置が設置された位置が示されており、ネットワークに障害が発生した場合に、障害の原因となっている管理対象装置の設置場所を特定する目的等に利用されている。
【０００５】
そして、管理マップを容易に作成するための技術として、例えば、特開２０００−１３４７１号公報に記載された技術が知られている。
特開２０００−１３４７１号公報に記載された技術によれば、各管理対象装置がＧＰＳ（Ｇｌｏｂａｌ　Ｐｏｓｉｔｉｏｎｉｎｇ　Ｓｙｓｔｅｍ）によって自装置の位置を把握し、ネットワークを管理するための管理装置が、これらの位置に関する情報を把握してネットワーク管理を行っている。
【０００６】
【特許文献１】
特開２０００−１３４７１号公報
【０００７】
【発明が解決しようとする課題】
しかしながら、特開２０００−１３４７１号公報に記載された技術は、ネットワークを構成する管理対象装置の位置的構成を示す管理マップの作成を行うためのものであり、ネットワークにおける各管理対象装置の論理的構成とは対応関係を有しないものであった。そのため、論理的構成は別途管理する必要があった。
【０００８】
このように、ネットワーク管理においては、論理的構成あるいは位置的構成のいずれかを管理するのみでは、ネットワーク管理を必要かつ十分に行うことができなかった。
即ち、ネットワーク管理を行う上で、論理的構成と位置的構成とを統合的に管理することにより、ネットワーク管理における利便性が高まり、より適切なネットワーク管理が行える等、種々の利点が生み出されるものである。
【０００９】
本発明の課題は、ネットワーク管理において、ネットワークを構成する装置の論理的構成と位置的構成とを統合的に管理可能とすることである。
【００１０】
【課題を解決するための手段】
以上の課題を解決するため、請求項１記載の発明は、
ネットワークの論理的構成に関するアドレス情報（例えば、ネットワークアドレス、サブネットアドレス等）が割り当てられた管理対象装置（例えば、図１のファイルサーバ２０、ルータ３０，４０およびネットワーク構成装置５０〜８０）と、該管理対象装置を含むネットワークのネットワーク管理を行う管理手段（例えば、図１のネットワーク管理部１０）とを含むネットワーク管理システムであって、前記管理対象装置は、自装置の設置位置に関する地理情報（例えば、ＧＰＳによって取得可能な位置情報）を取得可能であり、前記管理手段は、前記管理対象装置の地理情報およびアドレス情報に基づいて、ネットワークの位置的構成（例えば、各管理対象装置が設置されている場所に基づくネットワークの地理上の構成）を論理的構成（例えば、各管理対象装置の論理アドレスに基づくネットワークの階層構造）と対応付けて管理可能であることを特徴としている。
【００１１】
請求項２記載の発明は、
請求項１記載のネットワーク管理システムであって、
前記管理手段は、ネットワークの論理的構成あるいは位置的構成の少なくともいずれかの構成が変化した場合に、前記アドレス情報および地理情報に基づいて、ネットワークの新たな構成を把握可能であることを特徴としている。
【００１２】
請求項３記載の発明は、
請求項１または２記載のネットワーク管理システムであって、
前記管理手段は、ネットワークにおいて障害が予想される場合に、前記アドレス情報および地理情報に基づいて、その障害による影響が及ぼされ得る管理対象装置を特定し、該管理対象装置に警告情報を送信することを特徴としている。
【００１３】
請求項４記載の発明は、
請求項１〜３のいずれかに記載のネットワーク管理システムであって、
前記管理手段は、前記管理対象装置が設置される所定領域の地図情報を記憶し、前記管理対象装置によって取得された地理情報を該地図情報に基づいて補正可能であることを特徴としている。
【００１４】
請求項５記載の発明は、
請求項４記載のネットワーク管理システムであって、
前記管理手段は、前記管理対象装置によって取得された地理情報が、前記地図情報に基づく地図上において、所定の建物外の位置を示している場合、示している位置に最も近接する所定の建物の位置に、該地理情報を補正することを特徴としている。
【００１５】
請求項６記載の発明は、
請求項１〜５のいずれかに記載のネットワーク管理システムであって、
前記管理対象装置は、ＧＰＳ（Ｇｌｏｂａｌ　Ｐｏｓｉｔｉｏｎｉｎｇ　Ｓｙｓｔｅｍ）を利用して前記位置情報を取得することを特徴としている。
本発明によれば、管理対象装置が、自装置の設置位置に関する地理情報を取得可能であり、管理部は、地理情報およびアドレス情報に基づいて、ネットワークの論理的構成と位置的構成とを管理可能である。
【００１６】
したがって、ネットワーク管理をより適切に行うことが可能となり、また、ネットワーク構成（管理対象装置の設置状態）が変化した場合に、新たなネットワーク構成を容易かつ低コストに把握できる。
また、ネットワークにおいて発生する障害（例えば、停電によって一部の装置が通信不可能な状態となること等）を容易かつ正確に予想でき、それに対する適確な措置を講ずることが可能となる。
【００１７】
【発明の実施の形態】
以下、図を参照して本発明に係るネットワーク管理システムの実施の形態を詳細に説明する。
まず、構成を説明する。
図１は、本発明を適用したネットワーク管理システム１のシステム構成を示す図である。図１において、ネットワーク管理システム１は、ネットワーク管理部１０と、ファイルサーバ２０と、ルータ３０，４０と、ネットワーク構成装置５０〜８０とを含んで構成される。
【００１８】
また、図１において、ファイルサーバ２０は、建物のフロアＦ３に設置され、ルータ３０およびネットワーク構成装置５０，６０は、建物のフロアＦ２に設置され、ルータ４０およびネットワーク構成装置７０，８０は、建物のフロアＦ１に設置されている。なお、各フロアに設置された装置は、そのフロア毎に供給される電源から給電されている。
【００１９】
ネットワーク管理部１０は、ネットワーク管理システム１の管理対象である装置（管理対象装置）の全てについて、アドレス情報（ネットワークアドレス、サブネットアドレスおよび装置識別情報）、後述する地理情報（緯度等）、その他関連する情報（装置種別等）を取得する。
図２は、ネットワーク管理部１０が管理対象装置から地理情報を取得するための機能を示す図である。
図２において、ネットワーク管理部１０は、管理対象装置から地理情報を受信する受信部１１と、受信した地理情報を補正するための地図情報を記憶する記憶部１２と、補正された地理情報を含む種々の情報を記憶する装置データベース１３とを含んで構成される。
【００２０】
ここで、ネットワーク管理部１０は、地理情報を補正する際、以下のように補正を行う。図３は、ネットワーク管理部１０が地理情報を補正する態様を示す説明図である。
図３において、フロアＦ１の位置に対し、ルータ４０から送信された地理情報がフロアＦ１の領域外を示している場合、ルータ４０の設置個所はフロアＦ１内であると判定し、フロアＦ１内の所定位置にルータ４０の地理情報を補正する。
【００２１】
図１に戻り、ネットワーク管理部１０は、取得したアドレス情報および地理情報を装置データベース１３に記憶し、装置データベース１３に記憶された情報に基づいて、ネットワークの構成管理および電源管理といったネットワーク管理に関する種々の処理を行う。
つまり、ネットワーク管理部１０は、装置データベース１３に、各管理対象装置のネットワークアドレス、サブネットアドレス、装置種別（ルータあるいはネットワーク装置等）、地理情報（ＧＰＳによって取得される情報）および装置識別情報（各装置固有の番号）を関連付けて記憶している。
【００２２】
これにより、ネットワーク管理部１０は、後述する図５に示す概念図のように、各管理対象装置について、ネットワークの論理的構成における位置と、設置されている地理的な位置とを管理することが可能となる。
次に、管理対象装置に共通する機能部分について説明する。
図４は、管理対象装置が、ネットワーク管理部１０に情報を提供するために共通して備える機能を示す図である。
【００２３】
図４において、管理対象装置は、地理情報取得機能と、ネットワークアドレス記憶機能と、サブネットアドレス記憶機能と、送信機能とを含んで構成される。地理情報取得機能は、ＧＰＳによって自装置の位置（緯度、経度および高度等）を示す地理情報を取得する機能である。なお、ここでは、ＧＰＳを用いる場合について説明するが、ＧＰＳの他、ＲＦＩＤ（Ｒａｄｉｏ　Ｆｒｅｑｕｅｎｃｙ　Ｉｄｅｎｔｉｆｉｃａｔｉｏｎ
Ｓｙｓｔｅｍ）等によっても位置を取得することが可能である。
【００２４】
ネットワークアドレス記憶機能は、ネットワーク上で各装置固有に割り当てられたネットワークアドレスを記憶する機能である。
サブネットアドレス記憶機能は、ネットワークを分割して定められるサブネットを識別するアドレスを記憶する機能である。
送信機能は、上述の地理情報、ネットワークアドレスおよびサブネットアドレスをネットワーク管理部１０に送信する機能である。
【００２５】
このような構成により、各管理対象装置は、自装置の論理的構成における位置と、地理的な位置とをネットワーク管理部１０に自発的に送信する機能を備えることとなる。
続いて、管理対象装置それぞれの構成について説明する。
ファイルサーバ２０は、ネットワーク構成装置５０〜８０によって共有されるファイルを記憶し、各装置からのファイルの読み込みおよび書き込みを可能としている。
【００２６】
ルータ３０，４０は、ネットワーク層においてデータの中継を行う中継装置であり、他のネットワーク構成装置とネットワーク管理部１０との間における通信の中継処理を行う。
ネットワーク構成装置５０〜８０は、例えば、ＰＣ（Ｐｅｒｓｏｎａｌ　Ｃｏｍｐｕｔｅｒ）あるいはプリンタといった情報処理装置であり、ルータ３０，４０を介して、ネットワーク管理部１０からツリー状に接続されている。
【００２７】
具体的には、図５に示す概念図のように、ネットワーク管理部１０を最上位階層として、ファイルサーバ２０と、ルータ３０，４０とが第２階層に位置している。そして、ルータ３０の下位層に位置するサブネットとして、ネットワーク構成装置５０、および、その下位層のネットワーク構成装置６０が位置し、同様に、ルータ４０の下位層に位置するサブネットとして、ネットワーク構成装置７０、および、その下位層のネットワーク構成装置８０が位置している。また、ファイルサーバ２０の下位層にも、下位のファイルサーバが任意に接続される。
【００２８】
なお、このようなツリー構造の下においては、上位階層の装置が通信不可能となると、その下位層に位置する装置の通信も遮断されることとなる。
次に、動作を説明する。
図６は、ネットワークの構成が変化する場合のネットワーク管理システム１の動作を示す図である。
【００２９】
初期状態（図１の状態）において、ネットワーク管理部１０は、各管理対象装置のアドレス情報、地理情報およびその他の情報を記憶しており、ネットワークの論理的構成および位置的構成を管理している。
そして、管理対象装置の設置状態が変化（例えば、設置個所が変化する、あるいは、新たに追加される等）と、その管理対象装置は、自装置のアドレス情報、地理情報、その他関連する情報をネットワーク管理部１０に送信する（ステップＳ１）。
【００３０】
なお、管理対象装置の設置個所が変更された場合、管理対象装置が所定のボタンを備えておき、そのボタンが押下されることに対応して、地理情報等をネットワーク管理部１０に送信することとしてもよい。
次に、ネットワーク管理部１０が、管理対象装置から受信した地理情報と記憶している地図情報とを照合し、送信された地理情報が適切な位置を示しているか否かを確認する（ステップＳ２）。
【００３１】
そして、ネットワーク管理部１０は、送信された地理情報が適切な位置を示していない場合には、その地理情報を補正する（ステップＳ３）。
なお、補正する方法としては、送信された地理情報が示す位置を最も近い建物の領域内の所定位置に地理情報を更新することが考えられる。
次いで、ネットワーク管理部１０は、管理対象装置について、補正された地理情報と、アドレス情報とに基づいて、装置データベース１３を更新する（ステップＳ４）。
【００３２】
なお、このとき、必要に応じて、その他関連する情報を参照して装置データベース１３を更新する。
また、ネットワーク管理部１０は、管理対象装置から送信された装置識別情報を参照し、管理対象装置が新たに追加されたか、あるいは、従前に接続されていた管理対象装置の設置個所が変化したかを判定する。
【００３３】
このようにネットワークの論理的構成と位置的構成とが対応付けて管理される結果、ネットワーク管理における構成管理、電源管理あるいは障害管理等をより適切に行うことが可能となる。
例えば、図７に示すようなネットワーク構成となっている場合に、フロアＦ１の電源が遮断された場合、ルータ４０およびネットワーク構成装置７０が電源の遮断によって通信不可能となることに加え、ネットワーク構成装置８０も通信が不可能となる。
【００３４】
そのため、ネットワーク管理部１０は、フロアＦ１の電源が遮断されるにあたり、ルータ４０およびネットワーク構成装置７０，８０に警告を送信することが可能であると共に、フロアＦ１の電源遮断時には、これらの装置をネットワークから切り離す等の措置を取ることが可能となる。
一方、ネットワーク管理部１０が、ネットワークの論理的構成に対応させて位置的構成を管理していない場合、フロアＦ１の電源が遮断されることによって、ネットワーク構成装置８０が通信不可能となることを予め把握することができず、ネットワーク管理の適切性が劣ることとなる。
【００３５】
以上のように、本発明を適用したネットワーク管理システム１においては、管理対象装置が、自装置の設置個所に関する地理情報を取得可能であり、ネットワーク管理部１０は、地理情報およびアドレス情報に基づいて、ネットワークの論理的構成と位置的構成とを管理可能である。
したがって、ネットワーク管理をより適切に行うことが可能となり、また、ネットワーク構成（管理対象装置の設置状態）が変化した場合に、新たなネットワーク構成を容易かつ低コストに把握できる。
【００３６】
また、ネットワークにおいて発生する障害（例えば、停電によって一部の装置が通信不可能な状態となること等）を容易かつ正確に予想でき、それに対する適確な措置を講ずることが可能となる。
【００３７】
【発明の効果】
本発明によれば、管理対象装置が、自装置の設置位置に関する地理情報を取得可能であり、管理部は、地理情報およびアドレス情報に基づいて、ネットワークの論理的構成と位置的構成とを管理可能である。
したがって、ネットワーク管理をより適切に行うことが可能となり、また、ネットワーク構成（管理対象装置の設置状態）が変化した場合に、新たなネットワーク構成を容易かつ低コストに把握できる。
【００３８】
また、ネットワークにおいて発生する障害（例えば、停電によって一部の装置が通信不可能な状態となること等）を容易かつ正確に予想でき、それに対する適確な措置を講ずることが可能となる。
【図面の簡単な説明】
【図１】本発明を適用したネットワーク管理システム１のシステム構成を示す図である。
【図２】ネットワーク管理部１０が管理対象装置から地理情報を取得するための機能を示す図である。
【図３】ネットワーク管理部１０が地理情報を補正する態様を示す説明図である。
【図４】管理対象装置が、ネットワーク管理部１０に情報を提供するために共通して備える機能を示す図である。
【図５】ネットワークの論理的構成と位置的構成とが対応付けられて管理されている概念を示す図である。
【図６】ネットワークの構成が変化する場合のネットワーク管理システム１の動作を示す図である。
【図７】ネットワーク構成の一例を示す図である。
【符号の説明】
１　ネットワーク管理システム，１０　ネットワーク管理部，１１　受信部，１２　記憶部，１３　装置データベース，２０　ファイルサーバ，３０，４０　ルータ，５０〜８０　ネットワーク構成装置
【図１】
2004112279.tif 000003
【図２】
2004112279.tif 000004
【図３】
2004112279.tif 000005
【図４】
2004112279.tif 000006
【図５】
2004112279.tif 000007
【図６】
2004112279.tif 000008
【図７】
2004112279.tif 000009